(57)【要約】【課題】簡単な構造であって、絵画等の展示物を極めて容易に交換することができる額縁を提供する。【解決手段】額縁１の裏面である基板１１に絵画Ａの位置決めする粘着テープを設け、基板１１の一側に前枠板１２を連結し、他側に装飾板１３を連結し、前枠板１２と装飾板１３の前側からの開閉を可能とした。さらに、前枠板１２と装飾板１３とが基板１１上で閉じた状態を保持する金属板１６と磁石板１７とを設けた。【選択図】      図１
2005168753.tif 000002
【特許請求の範囲】
【請求項１】
基板と、前記基板の少なくともいずれか一辺に折り曲げ可能に連結されるとともに展示物の外周を囲う前枠板と、
前記基板の前記前枠板と連結された辺以外の少なくともいずれか一辺に連結されるとともに前記前枠板を覆う装飾板とを備え、
前記基板上に展示物を配置した状態で前記前枠板と前記装飾板とを重ね合わせることにより形成される額縁であって、
前記基板と前記前枠板との間に展示物を配置すると共に、
前記基板又は前記前枠板のいずれか一方に展示物の位置決めをするための位置決め手段を備えたことを特徴とする額縁。
【請求項２】
請求項１に記載の額縁において、
前記前枠板と前記装飾板とは、前記基板の相対向する二辺においてそれぞれ連結されていることを特徴とする額縁。
【請求項３】
請求項１又は２に記載の額縁において、
前記装飾板と前記前枠板とに、互いに固定する固定手段を設けたことを特徴とする額縁。
【請求項４】
請求項１乃至３のいずれか１つに記載の額縁において、
前記装飾板は、透明板であることを特徴とする額縁。
【請求項５】
請求項１乃至４のいずれか１つに記載の額縁において、
前記前枠板は、前記基板と前記装飾板との間に配置されることを特徴とする額縁。
【発明の詳細な説明】
【技術分野】
【０００１】
本発明は、額縁に関する。
【背景技術】
【０００２】
額縁は、絵画や写真等の展示物の外周を四角枠体で囲こみ、壁等に吊下げて絵画や写真等を展示する。その枠体は、一般に、展示物の表示領域を形成するとともに展示物を鑑賞面側から支持する。一方、額縁の裏面には、展示物を裏面側から支持するために基板が設けられている。この基板は、止め具等を用いて枠体に取り付けられている。しかし、前記額縁に支持された展示物を交換するときには、その都度、額縁を壁面から取り外し、さらに裏面側にある基板を枠体から取り外すことによって交換を行っている。そのため、展示物の交換に大変手間のかかり不都合であった。
【０００３】
そこで、この問題を解決させる方法として、例えば、額縁の表面側から展示物を交換することのできる表面開閉式の額縁が提案されている。この額縁を構成する枠体は、基板の上縁部に吊下げられており、表面側からの開閉が可能とされている。そのため、展示物を交換するときには、壁面から額縁を取り外すことなく表面側から展示物を交換することができる（例えば特許文献１）。
【特許文献１】特開平７−１９９８４６
【発明の開示】
【発明が解決しようとする課題】
【０００４】
ところで、この額縁は、展示物の鑑賞面を保護するとともに額縁の装飾性を増す目的として、例えば、透光板からなる装飾板が枠体に装着される。その結果、装飾板を装着することにより枠体の重量が増し、それに伴って、展示物を交換するために枠体を開閉するのが困難となる問題がある。
【０００５】
また、枠体の重量が増すに連れて、枠体を吊下げる基板と、枠体と基板とを接続する接合部とに作用する荷重が増し、基板や接合部等に歪みを来たすとともに枠体の開閉の確実性が損なわれる。そこで、基板や接合部等の厚みを増すことにより荷重に対する耐久性を補償することが可能である。しかし、額縁自体の重量が増すために壁面への取り付けが困難となり、さらに壁面からの突き出し量が増すために額縁としての装飾性を損なう問題がある。
【０００６】
本発明の目的は、枠体を形成する前枠板と装飾性を付与する装飾板とを備えた簡単な構造によって、絵画等の展示物を極めて容易に交換することができる額縁を提供することにある。
【課題を解決するための手段】
【０００７】
本発明の額縁は、基板と、前記基板の少なくともいずれか一辺に折り曲げ可能に連結されるとともに展示物の外周を囲う前枠板と、前記基板の前記前枠板と連結された辺以外の少なくともいずれか一辺に連結されるとともに前記前枠板を覆う装飾板とを備え、前記基板上に展示物を配置した状態で前記前枠板と前記装飾板とを重ね合わせることにより形成される額縁であって、前記基板と前記前枠板との間に展示物を配置すると共に、前記基板又は前記前枠板のいずれか一方に展示物の位置決めをするための位置決め手段を備えた。
【０００８】
本発明の額縁によれば、展示物は、位置決め手段によって基板又は前枠板に位置決めされる。従って、額縁に配置された展示物は位置ズレを来たすことがなく、額縁とともに鑑
賞されることができる。さらに、前枠板と装飾板とが、それぞれ異なる辺に接続されるため、前枠板の荷重と装飾板の荷重とがそれぞれ異なる辺に分配させる。
【０００９】
この額縁において、前記前枠板と前記装飾板とは、前記基板の相対向する二辺においてそれぞれ連結されてもよい。
この額縁によれば、それぞれ相対向する二辺を支軸として前枠板と装飾板とを折り曲げるときに、前枠板の折り曲げられる範囲と装飾板の折り曲げられる範囲とが、互いに干渉する領域を最小とすることができ、展示物の交換を容易にする。
【００１０】
また、この額縁において、前記装飾板と前記前枠板とに、互いに固定する固定手段を設けてもよい。
この額縁によれば、前枠板と装飾板とが基板上で重ね合わさるときに互いを配置固定することができ、展示した状態にある額縁の前枠板と装飾板との配置安定性が向上される。
【００１１】
さらに、この額縁において、前記装飾板は透明板であってもよい。
この額縁によれば、展示物は装飾板によって保護されるとともに展示物を鑑賞面側から視認することができる。そして、前枠板によって外周を囲われた展示物を鑑賞することができ、額縁としての装飾性を増すことができる。
【００１２】
この額縁において、前記前枠板は前記基板と前記装飾板との間に配置してもよい。
この額縁によれば、装飾板は、前枠板と展示物とを装飾することが可能となり、前枠板と展示物とを保護することができる。
【発明を実施するための最良の形態】
【００１３】
以下、本発明の額縁を具体化した一実施形態を、図１〜図３に従って説明する。
図１は額縁の使用状態を示す斜視図、図２は額縁を展開した状態を示す説明図、図３は額縁の組み立て方を説明する説明図であって、（ａ）は展示物の収納前を示す図、（ｂ）は展示物の収納途中を示す図、（ｃ）は展示物の収納後を示す図である。
【００１４】
図１において、額縁１は、展示物としての絵画Ａを収納した状態で壁面Ｗ上に吊下されている。額縁１は、大きく分けて基板１１、四角枠状の前枠板１２、透明板よりなる装飾板１３を有している。そして、額縁１は、最も壁面Ｗ側に配置される基板１１の前側に前枠板１２が配置され、その基板１１と前枠板１２とが下側連結片１４を介して連結されている。また、額縁１は、前枠板１２の前側に装飾板１３が配置され、その装飾板１３が上側連結片１５を介して基板１１と連結されている。そして、絵画Ａは、基板１１と前枠板１２との間に配置される。
【００１５】
額縁１は、使用する前には図２に示すように展開することができる。図２において、基板１１は、長方形の平面板からなり、その裏面（壁面Ｗ側の面）には壁面Ｗに設けた図示しないフック型の止め具に引っ掛けられる掛止め部材（図示しない）が設けられている。これによって、額縁１は壁面Ｗに吊り下げられることになる。基板１１の表面には、その上下側部に横方向の略全幅にわたり位置決め手段としての粘着テープＴが設けられている。粘着テープＴは、絵画Ａの裏面と接着し同絵画Ａを基板１１に対して固定する。粘着テープＴの絵画Ａと接着する側の粘着面には、絵画Ａの裏面を取り剥がし可能な弱粘着剤が施されている。因みに、粘着テープＴの弱粘着剤の施された粘着面は、絵画Ａが配置されていないときには、粘着性を保護するための図示しない保護シートによって覆われている。基板１１と前枠板１２とを連結する下側連結片１４は、折り曲げ可能なシート状の軟質な合成樹脂である。そして、下側連結片１４を折り曲げることによって、図３（ｂ）（ｃ）に示すように、基板１１と前枠板１２を相対向するように配置することができる。
【００１６】
前枠板１２は、外形が前記基板１１と同形状をなした四角枠体であって、前枠板１２と基板１１との間に、絵画Ａが収納配置されたとき、前枠板１２の開口部１２ａを介して絵画Ａを視認することができる。前枠板１２の表側下部中央位置（下側連結片１４を折り曲げて基板１１に対して前枠板１２を相対向するように配置したときの前枠板１２の前面下部中央位置）には、固定手段を構成する金属板１６が設けられている。
【００１７】
基板１１と装飾板１３とを連結する上側連結片１５は、前記下側連結片１４と同様に、折り曲げ可能なシート状の軟質な合成樹脂である。そして、上側連結片１５を折り曲げることによって、図３（ｃ）に示すように、前枠板１２（基板１１）と装飾板１３を相対向するように配置するこができる。装飾板１３は、前記基板１１と同形状をなしたアクリル合成樹脂からなる透明板によって形成されている。従って、上側連結片１５を折り曲げて、前枠板１２の前側に装飾板１３に相対向するように配置しても前枠板１２の開口部１２ａからみることができる絵画Ａを視認することができる。装飾板１３の裏側下部中央位置（上側連結片１５を折り曲げて前枠板１２に対して装飾板１３を相対向するように配置したときの装飾板１３の後面下部中央位置）には、固定手段を構成する磁石板１７が設けられている。前枠板１２と装飾板１３が相対向したとき、磁石板１７と前記金属板１６が相対向し、磁石板１７が金属板１６を磁力で吸着する。
【００１８】
上記のように構成された額縁１の使用方法を図３に従って説明する。
今、図３（ａ）に示すように、額縁１を展開した状態にし、基板１１に施した粘着テープＴの保護シートを剥がし取る。そして、絵画Ａを粘着テープＴに位置決めして貼り付ける。絵画Ａを粘着テープＴにて位置決め固定すると、図３（ｂ）に示すように、前枠板１２を矢印方向に折り曲げ、基板１１に粘着テープＴを介して固定された絵画Ａの四方側辺を表から押さえる。続いて、図３（ｃ）に示すように、装飾板１３を折り曲げ、前枠板１２と重ね合わせる。これによって、装飾板１３に設けた磁石板１７が前枠板１２に設けた金属板１６と吸着し、装飾板１３と前枠板１２が重なり合った状態を保持して額縁１が完成する。そして、この額縁１を、図１に示すように壁面Ｗ上に吊り下げることによって絵画Ａの展示作業は終了する。
【００１９】
次に、壁面Ｗ上に展示された額縁１の絵画Ａを交換する場合について説明する。
まず、磁石板１７と金属板１６の吸着に抗して装飾板１３を前枠板１２から離間させて、前枠板１２から装飾板１３を開く。続いて前枠板１２を開く。このとき、前枠板１２はその自重によって開かれた状態が保持される。つぎに、絵画Ａを、粘着テープＴから剥離する。そして、絵画Ａを剥離された粘着テープＴに、新たに展示する絵画Ａを接着させる。そして、前記と同様に、粘着テープＴによって配置固定された新たな絵画Ａの表面上を前枠板１２で押さえ、前枠板１２の表前面を装飾板１３で閉じ磁石板１７と金属板１６を吸着させる。これによって、額縁１は前枠板１２と装飾板１３とが閉じられた状態を保持することになり、絵画Ａの交換が完了する。
【００２０】
上記実施形態の額縁１によれば、以下のような効果を得ることができる。
（１）上記実施形態では、前枠板１２を基板１１に対して下側連結片１４を介して折り曲げ可能に連結させ、装飾板１３を基板１１に対して上側連結片１５を介して折り曲げ可能に連結させた。従って、前枠板１２の荷重と装飾板１３の荷重とがそれぞれ基板１１の下側と上側とに分配され、それぞれ下側連結片１４と上側連結片１５を中心としてそれぞれ確実に開閉することができる。さらに、前枠板１２と装飾板１３とが対向する二辺に接続されているため、前枠板１２の回動範囲と装飾板１３の回動範囲との干渉領域を最小にすることができ、前枠板１２の開閉と装飾板１３の開閉とを容易にすることができる。
【００２１】
（２）上記実施形態では、基板１１の表面であってその上下側端部に位置決め手段としての粘着テープＴを設けた。そして、前枠板１２と装飾板１３とを鑑賞面側から開閉でき
るようにした。その結果、絵画Ａの荷重が粘着テープＴによって受け止められるとともに、絵画Ａがその自重によって曲折することを防ぐことができる。さらに、前枠板１２と装飾板１３とを開いたときに、絵画Ａが額縁１から脱落することがない。
【００２２】
（３）上記実施形態では、閉じられた前枠板１２の表面に固定手段を構成する金属板１６を設け、閉じられた装飾板１３の裏面に固定手段を構成する磁石板１７を設けた。さらに、金属板１６と磁石板１７とは、前枠板１２と装飾板１３とが閉じられたときに相対向する位置にあるとした。その結果、金属板１６と磁石板１７とを吸着させることが可能となり、前枠板１２と装飾板１３とが重なり合った状態を保持することができる。即ち、額縁１は、前枠板１２と装飾板１３とが閉じられた状態を保持することができる。
【００２３】
（４）上記実施形態では、基板１１の表面であってその上下側端部に位置決め手段としての粘着テープＴを施し、基板１１の下側縁に下側連結片１４を介して前枠板１２を接続させた。そして、基板１１の上側縁に上側連結片１５を介して装飾板１３を接続させた。このような簡単な構成からなる額縁１によって、絵画Ａを展示することができるとともに、その絵画Ａの交換を容易にすることができる。
【００２４】
（５）上記実施形態では、装飾板１３を透明板にした。従って、絵画Ａは装飾板１３によって保護されるとともに絵画Ａを鑑賞面側から視認することができ、額縁１としての装飾性を増すことができる。
【００２５】
（６）上記実施形態では、前枠板１２は基板１１と装飾板１３との間に配置した。従って、装飾板１３は、前枠板１２と絵画Ａとを装飾することが可能となり、前枠板１２と絵画Ａとを保護することができる。
【００２６】
なお、上記実施形態は以下のように変更してもよい。
○上記実施形態において、基板１１の下側縁に前枠板１２を連結し、基板１１の上側縁に装飾板１３を連結した。これを変更し、基板１１の左右側縁のいずれか一方に前枠板１２を連結してもよい。また、基板１１の左右側縁のいずれか一方に装飾板１３を連結し、基板１１の上側端に前枠板１２を連結してもよい。
【００２７】
○上記実施形態では、位置決め手段を構成する粘着テープＴを基板１１の表面の上下側端に設けたが、前枠板１２の裏面に施してもよい。
○上記実施形態において、位置決め手段として粘着テープＴで具体化した。その位置決め手段は、基板１１又は前枠板１２の外縁にそって固着されるとともに絵画Ａの外縁を覆うことを可能とした断面がＺ字型からなる板部材であって、絵画Ａを位置決めすることができる板部材で形成してもよい。
【００２８】
○上記実施形態では、位置決め手段として粘着テープＴを施したが、基板１１の表面に絵画Ａを収容可能な凹面を設け、その凹面によって絵画Ａの位置決めをしてもよい。
○上記実施形態において、額縁１は、その基板１１を壁面Wに係止させて基板１１の前
面に前枠板１２を重ね合わせ、前枠板１２の前面に装飾板１３を重ね合わせて形成させた。これを変更し、基板１１の前面に装飾板１３を重ね合わせ、装飾板１３の前面に前枠板１２を重ね合わせて形成してもよい。
【図面の簡単な説明】
【００２９】
【図１】額縁の使用状態を示す斜視図。
【図２】額縁を展開した状態を示す説明図。
【図３】額縁の組み立て方を説明する説明図であって、（ａ）は展示物の収納前を示す図、（ｂ）は展示物の収納途中を示す図、（ｃ）は展示物の収納後を示す図である。
【符号の説明】
【００３０】
１・・・額縁、１１・・・基板、１２・・・前枠板、１３・・・装飾板、１４・・・下側連結片、１５・・・上側連結片、１６・・・固定手段を構成する金属板、１７・・・固定手段を構成する磁石板、Ａ・・・絵画、Ｔ・・・位置決め手段としての粘着テープ。
【図１】
2005168753.tif 000003
【図２】
2005168753.tif 000004
【図３】
2005168753.tif 000005